【手続補正書】
【提出日】平成18年3月27日(2006.3.27)
【手続補正１】
【補正対象書類名】特許請求の範囲
【補正対象項目名】全文
【補正方法】変更
【補正の内容】
【特許請求の範囲】
【請求項１】
連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に情報を記録する記録方法であって、
前記第２のデータ領域内における未記録領域の最大アドレスを含む最終既記録領域情報を前記情報記録媒体に記録する工程を含む記録方法。
【請求項２】
連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に情報を記録する記録方法であって、
前記第２のデータ領域内における未記録領域の最大アドレスの次のアドレスを含む最終既記録領域情報を前記情報記録媒体に記録する工程を含む記録方法。
【請求項３】
前記最終既記録領域情報は、第２のデータ領域の終了位置にその終了位置が一致している、データが記録されている前記第２のデータ領域内の領域を特定するための情報であることを特徴とする請求項１又は２に記載の記録方法。
【請求項４】
連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に情報を記録する記録方法であって、
前記第２のデータ領域内の未記録領域のうち最大アドレスを有する未記録領域に隣接し、前記第２のデータ領域の終了位置にその終了位置が一致している、データが記録されている前記第２のデータ領域内の領域を特定するための最終既記録領域情報を前記情報記録媒体に記録する工程を含む記録方法。
【請求項５】
前記最終既記録領域情報は、前記情報記録媒体の最も内周側にある未記録領域の終了アドレスを含むことを特徴とする請求項４に記載の記録方法。
【請求項６】
前記最終既記録領域情報は、前記情報記録媒体の最も内周側にある未記録領域の終了アドレスの次のアドレスを含むことを特徴とする請求項４に記載の記録方法。
【請求項７】
前記最終既記録領域情報は、前記第２のデータ領域の先頭アドレスを示すポインタ情報を含むことを特徴とする請求項４〜６のいずれか一項に記載の記録方法。
【請求項８】
前記最終既記録領域情報は、最も前記第２のデータ領域の終了位置に近い未記録領域の終了位置に関する情報であることを特徴とする請求項４〜７のいずれか一項に記載の記録方法。
【請求項９】
前記情報記録媒体への記録はレーザからの光を用いて行われ、
前記第１の記録層は、前記第２の記録層よりも前記レーザに近い位置に配置されていることを特徴とする請求項１〜８のいずれか一項に記載の記録方法。
【請求項１０】
前記第１のデータ領域には、内周側から外周側に向かって増加するアドレスが割り振られ、前記第２のデータ領域には、外周側から内周側に向かって増加するアドレスが割り振られていることを特徴とする請求項１〜９のいずれか一項に記載の記録方法。
【請求項１１】
前記第２のデータ領域内に設定されている基準位置から連続してデータが記録されている領域を特定するための基準既記録領域情報を前記情報領域に記録する工程を、更に含むことを特徴とする請求項１〜１０のいずれか一項に記載の記録方法。
【請求項１２】
前記第１のデータ領域の開始位置から前記第２のデータ領域の終了位置までは、論理アドレスが連続していることを特徴とする請求項１〜１１のいずれか一項に記載の記録方法。
【請求項１３】
前記第１のデータ領域と前記第２のデータ領域とからなる統合データ領域の開始位置から連続してデータが記録されている領域を特定するための先頭既記録領域情報を前記情報記録媒体に記録する工程を、更に含むことを特徴とする請求項１〜１２のいずれか一項に記載の記録方法。
【請求項１４】
前記先頭既記録領域情報は、前記統合データ領域における前記開始位置から連続してデータが記録されている領域の終了位置に関する情報であることを特徴とする請求項１３に記載の記録方法。
【請求項１５】
前記統合データ領域における前記開始位置は、前記第１のデータ領域の最小アドレスであることを特徴とする請求項１４に記載の記録方法。
【請求項１６】
前記先頭既記録領域情報は、前記第１の記録層において前記第１のデータ領域の開始位置から連続してデータが記録されている領域の終了位置を示す情報、及び前記第２の記録層において前記第２のデータ領域の開始位置から連続してデータが記録されている領域の終了位置を示す情報を含むことを特徴とする請求項１３〜１５のいずれか一項に記載の記録方法。
【請求項１７】
前記情報記録媒体の情報領域には、前記先頭既記録領域情報及び最終既記録領域情報が記録されており、
前記情報記録媒体の情報領域に記録されている先頭既記録領域情報及び最終既記録領域情報を参照し、前記情報記録媒体に再生専用の情報記録媒体との互換性を付与するためのデータを記録する工程を、更に含むことを特徴とする請求項１３〜１６のいずれか一項に記載の記録方法。
【請求項１８】
連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に記録可能な情報記録装置であって、
前記情報記録媒体の複数の記録層のうち、指定された記録層にデータを記録する記録手段と；
前記第２のデータ領域内における未記録領域の最大アドレスを含む最終既記録領域情報を、前記記録手段を介して前記情報記録媒体に記録する処理装置と；を備える情報記録装置。
【請求項１９】
連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に記録可能な情報記録装置であって、
前記情報記録媒体の複数の記録層のうち、指定された記録層にデータを記録する記録手段と；
前記第２のデータ領域内における未記録領域の最大アドレスの次のアドレスを含む最終既記録領域情報を、前記記録手段を介して前記情報記録媒体に記録する処理装置と；を備える情報記録装置。
【請求項２０】
前記最終既記録領域情報は、第２のデータ領域の終了位置にその終了位置が一致している、データが記録されている前記第２のデータ領域内の領域を特定するための情報であることを特徴とする請求項１８又は１９に記載の情報記録装置。
【請求項２１】
連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に記録可能な情報記録装置であって、
前記情報記録媒体の複数の記録層のうち、指定された記録層にデータを記録する記録手段と；
前記第２のデータ領域内の未記録領域のうち最大アドレスを有する未記録領域に隣接し、前記第２のデータ領域の終了位置にその終了位置が一致している、データが記録されている前記第２のデータ領域内の領域を特定するための最終既記録領域情報を、前記記録手段を介して前記情報記録媒体に記録する処理装置と；を備える情報記録装置。
【請求項２２】
前記最終既記録領域情報は、前記情報記録媒体の最も内周側にある未記録領域の終了アドレスを含むことを特徴とする請求項２１に記載の情報記録装置。
【請求項２３】
前記最終既記録領域情報は、前記情報記録媒体の最も内周側にある未記録領域の終了アドレスの次のアドレスを含むことを特徴とする請求項２１に記載の情報記録装置。
【請求項２４】
前記最終既記録領域情報は、前記第２のデータ領域の先頭アドレスを示すポインタ情報を含むことを特徴とする請求項２１〜２３のいずれか一項に記載の情報記録装置。
【請求項２５】
前記最終既記録領域情報は、前記第２のデータ領域の終了位置に最も近い位置に存在する前記第２のデータ領域内の未記録領域の終了位置に関する情報であることを特徴とする請求項２１〜２４のいずれか一項に記載の情報記録装置。
【請求項２６】
前記情報記録媒体への記録はレーザからの光を用いて行われ、
前記第１の記録層は、前記第２の記録層よりも前記レーザに近い位置に配置されていることを特徴とする請求項１８〜２５のいずれか一項に記載の情報記録装置。
【請求項２７】
前記第１のデータ領域には、内周側から外周側に向かって増加するアドレスが割り振られ、前記第２のデータ領域には、外周側から内周側に向かって増加するアドレスが割り振られていることを特徴とする請求項１８〜２６のいずれか一項に記載の情報記録装置。
【請求項２８】
前記処理装置は、更に前記第２のデータ領域内に設定されている基準位置から連続してデータが記録されている領域を特定するための基準既記録領域情報を、前記記録手段を介して前記情報記録媒体に記録することを特徴とする請求項１８〜２７のいずれか一項に記載の情報記録装置。
【請求項２９】
前記第１のデータ領域の開始位置から前記第２のデータ領域の終了位置までは、論理アドレスが連続していることを特徴とする請求項１８〜２８のいずれか一項に記載の情報記録装置。
【請求項３０】
前記処理装置は、前記第１のデータ領域と前記第２のデータ領域とからなる統合データ領域の開始位置から連続してデータが記録されている領域を特定するための先頭既記録領域情報を、更に前記記録手段を介して前記情報記録媒体に記録することを特徴とする請求項１８〜２９のいずれか一項に記載の情報記録装置。
【請求項３１】
前記先頭既記録領域情報は、前記統合データ領域における前記開始位置から連続してデータが記録されている領域の終了位置に関する情報であることを特徴とする請求項３０に記載の情報記録装置。
【請求項３２】
前記統合データ領域における前記開始位置は、前記第１のデータ領域の最小アドレスであることを特徴とする請求項３１に記載の情報記録装置。
【請求項３３】
前記先頭既記録領域情報は、前記第１の記録層において前記第１のデータ領域の開始位置から連続してデータが記録されている領域の終了位置を示す情報、及び前記第２の記録層において前記第２のデータ領域の開始位置から連続してデータが記録されている領域の終了位置を示す情報を含むことを特徴とする請求項３０に記載の情報記録装置。
【請求項３４】
前記最終既記録領域情報は、前記第２のデータ領域にダミーデータが記録されると、該ダミーデータが記録された領域に応じて更新されることを特徴とする請求項１８〜３３のいずれか一項に記載の情報記録装置。
【請求項３５】
前記処理装置は、前記先頭既記録領域情報及び前記最終既記録領域情報を参照し、前記記録手段を介して、前記情報記録媒体に再生専用の情報記録媒体との互換性を付与するためのデータを更に記録することを特徴とする請求項３０〜３４のいずれか一項に記載の情報記録装置。
【請求項３６】
前記処理装置は、前記先頭既記録領域情報にて特定される領域が前記第１のデータ領域内にすべて含まれる場合に、前記書き換え可能な情報記録媒体の回転中心からの距離に関して、前記先頭既記録領域情報にて特定される領域の終了位置と同一距離にある前記第２のデータ領域内の位置から前記最終既記録領域情報にて特定される領域の開始位置までの領域に存在する未記録領域に、前記記録手段を介してダミーデータを記録することを特徴とする請求項３５に記載の情報記録装置。
【請求項３７】
前記処理装置は、前記先頭既記録領域情報にて特定される領域が前記第１のデータ領域内にすべて含まれる場合に、前記先頭既記録領域情報にて特定される領域の終了位置のアドレスをビット反転させたアドレス位置から前記最終既記録領域情報にて特定される領域の開始位置までの領域に存在する未記録領域に、前記記録手段を介してダミーデータを記録することを特徴とする請求項３５に記載の情報記録装置。
【請求項３８】
前記処理装置は更に、前記記録手段を介して、前記第１のデータ領域における前記先頭既記録領域情報にて特定される領域に続く領域に中間領域を示すデータを記録するとともに、前記書き換え可能な情報記録媒体の回転中心からの距離に関して、前記中間領域と同一距離にある前記第２のデータ領域内の領域に中間領域を示すデータを記録することを特徴とする請求項３６に記載の情報記録装置。
【請求項３９】
前記処理装置は更に、前記記録手段を介して、前記第１のデータ領域における前記先頭既記録領域情報にて特定される領域に続く領域に中間領域を示すデータを記録するとともに、前記中間領域が記録された領域のアドレスをビット反転させたアドレス位置に中間領域を示すデータを記録することを特徴とする請求項３６に記載の情報記録装置。
【請求項４０】
前記処理装置は、前記第２のデータ領域におけるユーザデータが記録された領域を識別するための情報を含む識別情報を更に取得することを特徴とする請求項３５〜３９のいずれか一項に記載の情報記録装置。
【請求項４１】
前記識別情報は、前記第１のデータ領域における未記録領域を識別するための情報を更に含むことを特徴とする請求項４０に記載の情報記録装置。
【請求項４２】
前記処理装置は、前記先頭既記録領域情報にて特定される領域以降におけるユーザデータが記録された領域を識別するための情報を含む識別情報を更に取得することを特徴とする請求項３５〜４１のいずれか一項に記載の情報記録装置。
【請求項４３】
前記処理装置は、前記識別情報を参照し、前記最終既記録領域情報にて特定される領域内にユーザデータが記録されている場合に、前記先頭既記録領域情報にて特定される領域の終了位置から前記最終既記録領域情報にて特定される領域の開始位置までの領域に存在する未記録領域に、前記記録手段を介してダミーデータを記録することを特徴とする請求項４０に記載の情報記録装置。
【請求項４４】
前記情報記録媒体の各記録層のデータ領域は、それぞれ複数の部分領域に分割され、
前記書き換え可能な情報記録媒体へのアクセス要求がないときに、前記記録手段を介して、部分領域毎にダミーデータの記録を行い、前記書き換え可能な情報記録媒体のフォーマット処理を行うフォーマット手段を、更に備えることを特徴とする請求項３０〜４３のいずれか一項に記載の情報記録装置。
【請求項４５】
前記フォーマット手段は、前記最終既記録領域情報にて特定される領域に隣接する未記録領域の終了位置が属する部分領域の開始位置を基準位置とし、該基準位置から連続してデータが記録されている領域を特定するための基準既記録領域情報を取得することを特徴とする請求項４４に記載の情報記録装置。
【請求項４６】
前記第２のデータ領域における部分領域毎に、部分領域の開始位置を基準位置とし、該基準位置から連続してデータが記録されている領域を特定するための領域情報がそれぞれ設定されており、
前記フォーマット手段は、前記複数の部分領域のうち、前記最終既記録領域情報にて特定される領域に隣接する未記録領域の終了位置が属する部分領域の領域情報を、基準既記録領域情報として取得することを特徴とする請求項４４に記載の情報記録装置。
【請求項４７】
前記フォーマット手段は、前記第２のデータ領域の部分領域にダミーデータを記録する際に、前記基準既記録領域情報によって特定される領域の終了位置から前記最終既記録領域情報にて特定される領域の開始位置までの領域に存在する未記録領域に、ダミーデータを記録することを特徴とする請求項４５に記載の情報記録装置。
【請求項４８】
前記処理装置は、前記記録手段を介して、前記基準既記録領域情報を前記書き換え可能な情報記録媒体に更に記録することを特徴とする請求項４５に記載の情報記録装置。
【請求項４９】
前記第１のデータ領域には、内周側から外周側に向かって増加するアドレスが割り振られており、前記第２のデータ領域には、外周側から内周側に向かって増加するアドレスが割り振られており、
前記フォーマット手段は、前記先頭既記録領域情報にて特定される領域の終了位置が前記第１のデータ領域に属する場合に、前記先頭既記録領域情報にて特定される領域に隣接する未記録領域の開始位置が属する部分領域と、前記最終既記録領域情報にて特定される領域に隣接する未記録領域の終了位置が属する部分領域のうち、内周側に位置する部分領域から先にダミーデータの記録を行うことを特徴とする請求項４４に記載の情報記録装置。
【請求項５０】
第１の記録層と第２の記録層とを少なくとも有するディスク状の書き換え可能な情報記録媒体であって、
前記第１の記録層に設けられ、連続して増加するアドレスが割り振られた第１のデータ領域と；
前記第２の記録層に設けられ、前記第１のデータ領域とは逆向きに連続して増加するアドレスが割り振られた第２のデータ領域と；
前記第２のデータ領域内における未記録領域の最大アドレスを含む最終既記録領域情報が記録される領域を含む情報領域と；を有する情報記録媒体。
【請求項５１】
第１の記録層と第２の記録層とを少なくとも有するディスク状の書き換え可能な情報記録媒体であって、
前記第１の記録層に設けられ、連続して増加するアドレスが割り振られた第１のデータ領域と；
前記第２の記録層に設けられ、前記第１のデータ領域とは逆向きに連続して増加するアドレスが割り振られた第２のデータ領域と；
前記第２のデータ領域内における未記録領域の最大アドレスの次のアドレスを含む最終既記録領域情報が記録される領域を含む情報領域と；を有する情報記録媒体。
【請求項５２】
前記最終既記録領域情報は、第２のデータ領域の終了位置にその終了位置が一致している、データが記録されている前記第２のデータ領域内の領域を特定するための情報であることを特徴とする請求項５０又は５１に記載の情報記録媒体。
【請求項５３】
第１の記録層と第２の記録層とを少なくとも有するディスク状の書き換え可能な情報記録媒体であって、
前記第１の記録層に設けられ、連続して増加するアドレスが割り振られた第１のデータ領域と；
前記第２の記録層に設けられ、前記第１のデータ領域とは逆向きに連続して増加するアドレスが割り振られた第２のデータ領域と；
前記第２のデータ領域内の未記録領域のうち最大アドレスを有する未記録領域に隣接し、前記第２のデータ領域の終了位置にその終了位置が一致している、データが記録されている前記第２のデータ領域内の領域を特定するための最終既記録領域情報が記録される領域を含む情報領域と；を有する情報記録媒体。
【請求項５４】
前記最終既記録領域情報は、最も内周側にある未記録領域の終了アドレスを含むことを特徴とする請求項５３に記載の情報記録媒体。
【請求項５５】
前記最終既記録領域情報は、最も内周側にある未記録領域の終了アドレスの次のアドレスを含むことを特徴とする請求項５３に記載の情報記録媒体。
【請求項５６】
前記最終既記録領域情報は、前記第２のデータ領域の先頭アドレスを示すポインタ情報を含むことを特徴とする請求項５３〜５５のいずれか一項に記載の情報記録媒体。
【請求項５７】
前記最終既記録領域情報は、前記第２のデータ領域の終了位置に最も近い位置に存在する前記第２のデータ領域内の未記録領域の終了位置に関する情報であることを特徴とする請求項５３〜５６のいずれか一項に記載の情報記録媒体。
【請求項５８】
前記第１の記録層及び第２の記録層に対する記録及び再生はレーザからの光を用いて行われ、
前記第１の記録層は、前記第２の記録層よりも前記レーザに近い位置に配置されていることを特徴とする請求項５０〜５７のいずれか一項に記載の情報記録媒体。
【請求項５９】
前記第１のデータ領域には、内周側から外周側に向かって増加するアドレスが割り振られ、前記第２のデータ領域には、外周側から内周側に向かって増加するアドレスが割り振られていることを特徴とする請求項５０〜５８のいずれか一項に記載の情報記録媒体。
【請求項６０】
前記情報領域は、前記第２のデータ領域内に設定されている基準位置から連続してデータが記録されている領域を特定するための基準既記録領域情報が記録される領域を更に含むことを特徴とする請求項５０〜５９のいずれか一項に記載の情報記録媒体。
【請求項６１】
前記第１のデータ領域の開始位置から前記第２のデータ領域の終了位置までは、論理アドレスが連続していることを特徴とする請求項５０〜６０のいずれか一項に記載の情報記録媒体。
【請求項６２】
前記情報領域は、前記第１のデータ領域と前記第２のデータ領域とからなる統合データ領域の開始位置から連続してデータが記録されている領域を特定するための先頭既記録領域情報が記録される領域を更に含むことを特徴とする請求項５０〜６１のいずれか一項に記載の情報記録媒体。
【請求項６３】
前記先頭既記録領域情報は、前記統合データ領域における前記開始位置から連続してデータが記録されている領域の終了位置に関する情報であることを特徴とする請求項６２に記載の情報記録媒体。
【請求項６４】
前記統合データ領域における前記開始位置は、前記第１のデータ領域の最小アドレスであることを特徴とする請求項６３に記載の情報記録媒体。
【請求項６５】
前記先頭既記録領域情報は、前記第１の記録層において前記第１のデータ領域の開始位置から連続してデータが記録されている領域の終了位置を示す情報、及び前記第２の記録層において前記第２のデータ領域の開始位置から連続してデータが記録されている領域の終了位置を示す情報を含むことを特徴とする請求項６２に記載の情報記録媒体。
【請求項６６】
請求項５０に記載の情報記録媒体の情報領域に記録される情報のデータ構造であって、
前記第２のデータ領域内における未記録領域の最大アドレスの情報を含むデータ構造。
【請求項６７】
請求項５１に記載の情報記録媒体の情報領域に記録される情報のデータ構造であって、
前記第２のデータ領域内における未記録領域の最大アドレスの次のアドレスの情報を含むデータ構造。
【請求項６８】
請求項５３に記載の情報記録媒体の情報領域に記録される情報のデータ構造であって、
前記第２のデータ領域内の未記録領域のうち最大アドレスを有する未記録領域に隣接し、その終了位置が前記第２のデータ領域の終了位置と一致している、データが記録されている領域を特定するための情報を含むデータ構造。
【請求項６９】
連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に記録可能な情報記録装置に用いられるプログラムであって、
前記第２のデータ領域内における未記録領域の最大アドレスを含む最終既記録領域情報を前記情報記録媒体に記録する手順を、前記情報記録装置の制御用コンピュータに実行させるプログラム。
【請求項７０】
連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に記録可能な情報記録装置に用いられるプログラムであって、
前記第２のデータ領域内における未記録領域の最大アドレスの次のアドレスを含む最終既記録領域情報を前記情報記録媒体に記録する手順を、前記情報記録装置の制御用コンピュータに実行させるプログラム。
【請求項７１】
連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に記録可能な情報記録装置に用いられるプログラムであって、
前記第２のデータ領域内の未記録領域のうち最大アドレスを有する未記録領域に隣接し、前記第２のデータ領域の終了位置にその終了位置が一致している、データが記録されている前記第２のデータ領域内の領域を特定するための最終既記録領域情報を前記情報記録媒体に記録する手順を、前記情報記録装置の制御用コンピュータに実行させるプログラム。
【請求項７２】
請求項６９〜７１のいずれか一項に記載のプログラムが記録されたコンピュータ読み取り可能な記録媒体。
【手続補正２】
【補正対象書類名】明細書
【補正対象項目名】００１３
【補正方法】変更
【補正の内容】
【００１３】
本発明は、第１の観点からすると、連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に情報を記録する記録方法であって、前記第２のデータ領域内における未記録領域の最大アドレスを含む最終既記録領域情報を前記情報記録媒体に記録する工程を含む第１の記録方法である。
また、本発明は、第２の観点からすると、連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に情報を記録する記録方法であって、前記第２のデータ領域内における未記録領域の最大アドレスの次のアドレスを含む最終既記録領域情報を前記情報記録媒体に記録する工程を含む第２の記録方法である。
さらに、本発明は、第３の観点からすると、連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に情報を記録する記録方法であって、前記第２のデータ領域内の未記録領域のうち最大アドレスを有する未記録領域に隣接し、その終了位置が前記第２のデータ領域の終了位置と一致する、データが記録されている前記第２のデータ領域内の領域を特定するための最終既記録領域情報を前記情報記録媒体に記録する工程を含む第３の記録方法である。
【手続補正３】
【補正対象書類名】明細書
【補正対象項目名】００１５
【補正方法】変更
【補正の内容】
【００１５】
これら第１〜第３の記録方法のうちのいずれかの記録方法によれば、最終既記録領域情報が情報記録媒体に記録されるため、この最終既記録領域情報を参照して第２の記録層のデータ領域におけるデータが記録されていない未記録領域を容易に取得することが可能となる。そこで、コンテンツ（ユーザデータ）が記録された領域とダミーデータが記録された領域と未記録領域とが混在していても、結果として複数の記録層を有する書き換え可能な情報記録媒体に、再生専用の情報記録媒体との互換性を短時間で付与することが可能となる。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】変更
【補正の内容】
【００２７】
本発明は、第４の観点からすると、連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に記録可能な情報記録装置であって、前記情報記録媒体の複数の記録層のうち、指定された記録層にデータを記録する記録手段と；前記第２のデータ領域内における未記録領域の最大アドレスを含む最終既記録領域情報を、前記記録手段を介して前記情報記録媒体に記録する処理装置と；を備える第１の情報記録装置である。
また、本発明は、第５の観点からすると、連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に記録可能な情報記録装置であって、前記情報記録媒体の複数の記録層のうち、指定された記録層にデータを記録する記録手段と；  前記第２のデータ領域内における未記録領域の最大アドレスの次のアドレスを含む最終既記録領域情報を、前記記録手段を介して前記情報記録媒体に記録する処理装置と；を備える第２の情報記録装置である。
さらに、本発明は、第６の観点からすると、連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に記録可能な情報記録装置であって、前記情報記録媒体の複数の記録層のうち、指定された記録層にデータを記録する記録手段と；前記第２のデータ領域内の未記録領域のうち最大アドレスを有する未記録領域に隣接し、その終了位置が前記第２のデータ領域の終了位置と一致する、データが記録されている前記第２のデータ領域内の領域を特定するための最終既記録領域情報を、前記記録手段を介して前記情報記録媒体に記録する処理装置と；を備える第３の情報記録装置である。
【手続補正１６】
【補正対象書類名】明細書
【補正対象項目名】００２８
【補正方法】変更
【補正の内容】
【００２８】
これら第１〜第３の情報記録装置のうちのいずれかの情報記録装置によれば、処理装置により、記録手段を介して最終既記録領域情報が情報記録媒体に記録されるため、最終既記録領域情報から、情報記録媒体の第２の記録層のデータ領域におけるデータが記録されていない未記録領域を容易に特定することが可能となる。そこで、コンテンツ（ユーザデータ）が記録された領域とダミーデータが記録された領域と未記録領域とが混在していても、結果として複数の記録層を有する書き換え可能な情報記録媒体に、再生専用の情報記録媒体との互換性を短時間で付与することが可能となる。
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】変更
【補正の内容】
【００３３】
本発明は、第７の観点からすると、第１の記録層と第２の記録層とを少なくとも有するディスク状の書き換え可能な情報記録媒体であって、前記第１の記録層に設けられ、連続して増加するアドレスが割り振られた第１のデータ領域と；前記第２の記録層に設けられ、前記第１のデータ領域とは逆向きに連続して増加するアドレスが割り振られた第２のデータ領域と；前記第２のデータ領域内における未記録領域の最大アドレスを含む最終既記録領域情報が記録される領域を含む情報領域と；を有する第１の情報記録媒体である。
また、本発明は、第８の観点からすると、第１の記録層と第２の記録層とを少なくとも有するディスク状の書き換え可能な情報記録媒体であって、前記第１の記録層に設けられ、連続して増加するアドレスが割り振られた第１のデータ領域と；前記第２の記録層に設けられ、前記第１のデータ領域とは逆向きに連続して増加するアドレスが割り振られた第２のデータ領域と；前記第２のデータ領域内における未記録領域の最大アドレスの次のアドレスを含む最終既記録領域情報が記録される領域を含む情報領域と；を有する第２の情報記録媒体である。
さらに、本発明は、第９の観点からすると、第１の記録層と第２の記録層とを少なくとも有するディスク状の書き換え可能な情報記録媒体であって、前記第１の記録層に設けられ、連続して増加するアドレスが割り振られた第１のデータ領域と；前記第２の記録層に設けられ、前記第１のデータ領域とは逆向きに連続して増加するアドレスが割り振られた第２のデータ領域と；前記第２のデータ領域内の未記録領域のうち最大アドレスを有する未記録領域に隣接し、その終了位置が前記第２のデータ領域の終了位置と一致する、データが記録されている前記第２のデータ領域内の領域を特定するための最終既記録領域情報が記録される領域を含む情報領域と；を有する第３の情報記録媒体である。
【手続補正２２】
【補正対象書類名】明細書
【補正対象項目名】００３４
【補正方法】変更
【補正の内容】
【００３４】
これら第１〜第３の情報記録媒体のうちのいずれかの情報記録媒体によれば、第２のデータ領域にデータが記録されと、最終既記録領域情報を情報記録媒体の情報領域に記録することができる。この場合には、最終既記録領域情報を参照して、第２のデータ領域内に存在するデータが記録されていない未記録領域を容易に検出することが可能となる。従って、コンテンツ（ユーザデータ）が記録された領域とダミーデータが記録された領域と未記録領域とが混在していても、結果として再生専用の情報記録媒体との互換性を短時間で付与することが可能となる。
【手続補正２３】
【補正対象書類名】明細書
【補正対象項目名】００３５
【補正方法】変更
【補正の内容】
【００３５】
本発明は、第１０の観点からすると、本発明の第１の情報記録媒体の情報領域に記録される情報のデータ構造であって、前記第２のデータ領域内における未記録領域の最大アドレスの情報を含む第１のデータ構造である。
また、本発明は、第１１の観点からすると、本発明の第２の情報記録媒体の情報領域に記録される情報のデータ構造であって、前記第２のデータ領域内における未記録領域の最大アドレスの次のアドレスの情報を含む第２のデータ構造である。
さらに、本発明は、第１２の観点からすると、本発明の第３の情報記録媒体の情報領域に記録される情報のデータ構造であって、前記第２のデータ領域内の未記録領域のうち最大アドレスを有する未記録領域に隣接し、その終了位置が前記第２のデータ領域の終了位置と一致している、データが記録されている領域を特定するための情報を含む第３のデータ構造である。
【手続補正２４】
【補正対象書類名】明細書
【補正対象項目名】００３６
【補正方法】変更
【補正の内容】
【００３６】
これら第１〜第３のデータ構造のうちのいずれかのデータ構造によれば、情報を参照して、第２の記録層のデータ領域におけるデータが記録されていない未記録領域を容易に特定することが可能となる。そこで、コンテンツ（ユーザデータ）が記録された領域とダミーデータが記録された領域と未記録領域とが混在していても、結果として、再生専用の情報記録媒体との互換性を短時間で付与することが可能となる。
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】削除
【補正の内容】
【手続補正３７】
【補正対象書類名】明細書
【補正対象項目名】００４９
【補正方法】削除
【補正の内容】
【手続補正３８】
【補正対象書類名】明細書
【補正対象項目名】００５０
【補正方法】削除
【補正の内容】
【手続補正３９】
【補正対象書類名】明細書
【補正対象項目名】００５１
【補正方法】削除
【補正の内容】
【手続補正４０】
【補正対象書類名】明細書
【補正対象項目名】００５２
【補正方法】削除
【補正の内容】
【手続補正４１】
【補正対象書類名】明細書
【補正対象項目名】００５３
【補正方法】削除
【補正の内容】
【手続補正４２】
【補正対象書類名】明細書
【補正対象項目名】００５４
【補正方法】削除
【補正の内容】
【手続補正４３】
【補正対象書類名】明細書
【補正対象項目名】００５５
【補正方法】削除
【補正の内容】
【手続補正４４】
【補正対象書類名】明細書
【補正対象項目名】００５６
【補正方法】変更
【補正の内容】
【００５６】
本発明は、第１３の観点からすると、連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に記録可能な情報記録装置に用いられるプログラムであって、前記第２のデータ領域内における未記録領域の最大アドレスを含む最終既記録領域情報を前記情報記録媒体に記録する手順を、前記情報記録装置の制御用コンピュータに実行させる第１のプログラムである。
また、本発明は、第１４の観点からすると、連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に記録可能な情報記録装置に用いられるプログラムであって、前記第２のデータ領域内における未記録領域の最大アドレスの次のアドレスを含む最終既記録領域情報を前記情報記録媒体に記録する手順を、前記情報記録装置の制御用コンピュータに実行させる第２のプログラムである。
さらに、本発明は、第１５の観点からすると、連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に記録可能な情報記録装置に用いられるプログラムであって、前記第２のデータ領域内の未記録領域のうち最大アドレスを有する未記録領域に隣接し、その終了位置が前記第２のデータ領域の終了位置と一致する、データが記録されている前記第２のデータ領域内の領域を特定するための最終既記録領域情報を前記情報記録媒体に記録する手順を、前記情報記録装置の制御用コンピュータに実行させる第３のプログラムである。
【手続補正４５】
【補正対象書類名】明細書
【補正対象項目名】００５７
【補正方法】変更
【補正の内容】
【００５７】
これら第１〜第３のプログラムのうちのいずれかのプログラムによれば、本発明のプログラムが所定のメモリにロードされ、その開始アドレスがプログラムカウンタにセットされると、情報記録装置の制御用コンピュータは、最終既記録領域情報を情報記録媒体に記録する。これにより、最終既記録領域情報から、情報記録媒体の第２の記録層のデータ領域におけるデータが記録されていない未記録領域を容易に特定することが可能となる。そこで、コンテンツ（ユーザデータ）が記録された領域とダミーデータが記録された領域と未記録領域とが混在していても、結果として複数の記録層を有する書き換え可能な情報記録媒体に、再生専用の情報記録媒体との互換性を短時間で付与することが可能となる。
【手続補正４６】
【補正対象書類名】明細書
【補正対象項目名】００５８
【補正方法】変更
【補正の内容】
【００５８】
本発明は、第１６の観点からすると、本発明のプログラムが記録されたコンピュータ読み取り可能な記録媒体である。
【手続補正４７】
【補正対象書類名】明細書
【補正対象項目名】００５９
【補正方法】変更
【補正の内容】
【００５９】
これによれば、本発明のプログラムが記録されているために、コンピュータに実行させることにより、複数の記録層を有する書き換え可能な情報記録媒体に、再生専用の情報記録媒体との互換性を短時間で付与することが可能となる。